(57)【要約】【課題】  各部材を安定的に接合することができる上、操作が便利な粉末容器の構造を提供する。【解決手段】  粉末容器の構造は、内部に形成され、上部が開放され、粉末化粧品が収納される収納室１１と、収納室１１の開口部分に上方に突設される凸縁１２と、凸縁１２の外縁上に平均的に設けられる複数のストッパ１３と、上部に対向接合される外蓋１４と、からなり、上部に受け体２が配置される筒体１と、内部に形成され、凹陥した形状の受け室２１と、受け室２１の内壁上に凹設される係合溝２２と、受け室２１の底面上に設けられる複数の通孔Ａ２４と、外縁部分に設けられる上、筒体１のストッパ１３上に嵌合される複数の嵌合溝２５と、からなり、筒体１上に配置され、上部に調整体３が配置される受け体２とを備える。【選択図】  図１
0003166759.tif 000002
【実用新案登録請求の範囲】
【請求項１】
内部に形成され、上部が開放され、粉末化粧品が収納される収納室と、前記収納室の開口部分に上方に突設する凸縁と、前記凸縁の外縁上に平均的に設けられる複数のストッパと、上部に対向接合する外蓋と、からなり、上部に受け体が配置される筒体と、
内部に形成され、凹陥した形状の受け室と、前記受け室の内壁上に凹設される係合溝と、前記受け室の底面上に設けられる複数の通孔Ａと、外縁部分に設けられ、前記筒体のストッパ上に嵌合される複数の嵌合溝と、からなり、前記筒体上に配置され、上部に調整体が配置される前記受け体と、
外側上方部分に設けられる上縁と、内部に形成され、凹陥した形状のチャンバと、前記チャンバの底面上に設けられる複数の通孔Ｂと、前記チャンバの外側壁上に突設される凸状リングと、からなり、前記受け体上に配置される前記調整体と、を含んで構成され、
前記凸状リングが前記受け体の係合溝に係合されることにより、前記調整体は、前記受け体上に接合され、前記受け室内においてに回転させることを特徴とする粉末容器の構造。
【請求項２】
前記チャンバの底面下方の中心部分に突設する凸柱が、前記受け室の底面上に設けられる貫通孔に挿入されることにより、前記調整体は、前記凸柱を軸心に回転させることを特徴とする請求項１に記載の粉末容器の構造。
【請求項３】
前記調整体が、前記受け体に配置されたとき、前記受け体上に設けられる複数の位置規制部は、前記調整体の上縁下方部分に設けられる複数の位置規制溝内に嵌入されることを特徴とする請求項１に記載の粉末容器の構造。
【考案の詳細な説明】
【技術分野】
【０００１】
本考案は、粉末容器の構造に関するものであり、さらに詳しくは、筒体、受け体及び調整体を含んで構成され、白粉、天花粉、ボディーパウダーなどの粉末化粧品の収納に適する粉末容器の構造に関するものである。
【背景技術】
【０００２】
一般に、従来の化粧品容器は、収納部材、調整部材及び蓋部材から構成されたものである。しかし、上述の従来の化粧品の容器は、調整部材と収納部材との間に、適当な係合構造又は接合構造が設けられていない。
【０００３】
従って、かかる容器は、使用方法を誤ったとき、収納部材から調整部材が容易に脱落し、収納部材内の内容物がこぼれ出てしまう状況が発生することがある。仮に、収納部材内の内容物がこぼれ出た場合、その処理が煩雑である上、内容物が浪費されてしまうという問題がある。さらに、収納空間内に配置された調整部材によって吐出の制御が行われるため、調整部材を調整する過程において、化粧品容器の内容物に手が接触する状況が発生しやすい。即ち、従来の化粧品容器は、衛生上問題がある上、経済的でないという難点も指摘されている。
【考案の開示】
【考案が解決しようとする課題】
【０００４】
従って、本考案の主な課題は、各部材を安定的に接合することができる上、操作が便利な粉末容器の構造を提供することにある。
【課題を解決するための手段】
【０００５】
前記課題を解決するために、本考案によれば、
内部に形成され、上部が開放され、粉末化粧品が収納される収納室と、前記収納室の開口部分に上方に突設する凸縁と、前記凸縁の外縁上に平均的に設けられる複数のストッパと、上部に対向接合する外蓋と、からなり、上部に受け体が配置される筒体と、内部に形成され、凹陥した形状の受け室と、前記受け室の内壁上に凹設される係合溝と、前記受け室の底面上に設けられる複数の通孔Ａと、外縁部分に設けられ、前記筒体のストッパ上に嵌合される複数の嵌合溝と、からなり、前記筒体上に配置され、上部に調整体が配置される前記受け体と、外側上方部分に設けられる上縁と、内部に形成され、凹陥した形状のチャンバと、前記チャンバの底面上に設けられる複数の通孔Ｂと、前記チャンバの外側壁上に突設される凸状リングと、からなり、前記受け体上に配置される前記調整体と、を含んで構成され、前記凸状リングが前記受け体の係合溝に係合されることにより、前記調整体は、前記受け体上に接合され、前記受け室内においてに回転させることを特徴とする粉末容器の構造が提供される。
【０００６】
前記チャンバの底面下方の中心部分に突設する凸柱が、前記受け室の底面上に設けられる貫通孔に挿入されることにより、前記調整体は、前記凸柱を軸心に回転させることが好ましい。
【０００７】
前記調整体が、前記受け体に配置されたとき、前記受け体上に設けられる複数の位置規制部は、前記調整体の上縁下方部分に設けられる複数の位置規制溝内に嵌入されることが好ましい。
【考案の効果】
【０００８】
本考案の粉末容器の構造は、各部材を安定的に接合することができる上、操作が容易であり、利便性に富むものである。
【図面の簡単な説明】
【０００９】
【図１】本考案の一実施形態による粉末容器の構造を示す分解斜視図である。
【図２】本考案の一実施形態による粉末容器の構造を示す部分断面斜視図である。
【図３】本考案の一実施形態による粉末容器の構造の調整体を回転させる状態を示す部分断面斜視図である。
【図４】本考案の一実施形態による粉末容器の構造の通孔Ａ及び通孔Ｂが長孔である状態を示す分解斜視図である。
【図５】本考案の一実施形態による粉末容器の構造に付属品を増設した状態を示す断面図である。
【図６】図５の粉末容器の構造の使用状態を示す断面図である。
【考案を実施するための形態】
【００１０】
以下、本考案の一実施形態について図面に基づいて説明する。なお、これによって本考案が限定されるものではない。
【００１１】
図１を参照する。図１に示すように、本考案の一実施形態による粉末容器の構造は、筒体１、受け体２及び調整体３を含んで構成される。
【００１２】
筒体１は、収納室１１、凸縁１２、ストッパ１３及び外蓋１４からなる。筒体１内には、上部が開放された収納室１１が形成される。収納室１１には、例えば、白粉、天花粉、ボディーパウダーなどの粉末化粧品が収納される。また、収納室１１の開口部分には、上方に突出した凸縁１２が設けられる。凸縁１２の外縁上には、複数のストッパ１３がバランス良く設けられる。また、筒体１上に外蓋１４が対向接合されることにより、収納室１１の開口が封止される。また、筒体１上には、受け体２が配置される。
【００１３】
受け体２は、受け室２１、係合溝２２、貫通孔２３、通孔Ａ２４、嵌合溝２５、隆起壁２６及び位置規制部２７からなり、図２に示すように、筒体１上に配置される。受け体２内には、凹陥した形状の受け室２１が形成される。受け室２１の内壁上には、係合溝２２が凹設される。受け室２１の底面上には、貫通孔２３及び複数の通孔Ａ２４が設けられる。通孔Ａ２４は、貫通孔２３を中心として受け室２１底面上に放射状に平均的に配列される。また、受け体２の外縁部分には、複数の嵌合溝２５及び隆起壁２６が設けられる。嵌合溝２５は、筒体１に設けられるストッパ１３の数及び位置に対応するように設けられる。これにより、嵌合溝２５を筒体１のストッパ１３上に嵌合させることができる。隆起壁２６は、筒体１上に外蓋１４が対向接合されたとき、外蓋１４内部を支持する。また、受け体２上には、調整体３の位置規制溝３２内に嵌入される複数の位置規制部２７が設けられる。
【００１４】
調整体３は、受け体２上に配置される。また、調整体３は、上縁３１、位置規制溝３２、チャンバ３３、凸柱３４、通孔Ｂ３５、隆起部３６及び凸状リング３７からなる。調整体３の外側上方部分には、上縁３１が設けられる。ユーザが手を使って調整するのに便利なように、上縁３１の外側表面には、凹凸が形成されることにより、摩擦力が増大される。上縁３１の下方部分には、複数の位置規制溝３２が設けられる。位置規制溝３２は、受け体２の位置規制部２７の数及び位置に対応するように設けられる。調整体３内には、凹陥した形状のチャンバ３３が形成される。チャンバ３３の底面下方の中心部分には、凸柱３４が突設される。また、チャンバ３３の底面上には、凸柱３４を中心として複数の通孔Ｂ３５が放射状に平均的に配列される。通孔Ｂ３５は、受け体２の通孔Ａ２４の数及び位置に対応するように設けられる。また、調整体３の底面上には、隆起部３６を増設してもよい。隆起部３６は、通孔Ａ２４の数及び位置に対応するように調整体３上に設けられる上、通孔Ｂ３５と交互に設けられる。また、チャンバ３３の外側壁上には、凸状リング３７が突設される。
【００１５】
図２を参照する。図２に示すように、調整体３は、受け体２の受け室２１中に取り付けられる。このとき、凸状リング３７が受け室２１の内壁上の係合溝２２に係合される。また、このとき、調整体３の凸柱３４が受け体２の貫通孔２３内に挿入される。これにより、調整体３は、受け体２上に固定される上、凸柱３４を軸心に回転させることができる（図３を合わせて参照）。調整体３を回転させることにより、調整体３上の通孔Ｂ３５と受け体２上の通孔Ａ２４との間を連通状態又は封止状態に調整することができる。通孔Ｂ３５と通孔Ａ２４との間が連通状態のとき、通孔Ｂ３５及び通孔Ａ２４を介し、筒体１の収納室１１と外部とを連通させることができる。また、通孔Ｂ３５と通孔Ａ２４との間が封止状態のとき、調整体３の隆起部３６を通孔Ａ２４に嵌入して固定することにより、受け体２と調整体３との間の密封性を増大させることができる。さらに、受け体２の位置規制部２７が調整体３の位置規制溝３２中に嵌入されることにより、調整体３を回転させて調整するとき、調整体３が回転する角度を限定できる上、調整体３を位置決めすることができる。以上の構造により、調整体３を回転させ、位置規制部２７が位置規制溝３２の端部に接触したとき、通孔Ｂ３５と通孔Ａ２４との間を連通状態又は封止状態に調整することができるため、調整にかかる時間を短縮することができる。
【００１６】
図４を参照する。図４に示すように、本考案の一実施形態による粉末容器の構造において、受け体２の通孔Ａ２４及び調整体３の通孔Ｂ３５の形状は、長孔でもよい。また、調整体３の隆起部３６の形状も通孔Ａ２４及び通孔Ｂ３５の長孔形状に対応する帯状でもよい。
【００１７】
図５を参照する。図５に示すように、本考案の一実施形態による粉末容器を実際に使用するとき、付属品４を組み合わせてもよい。付属品４は、パウダーパフ、パウダーブラシなどの化粧用具でもよい。付属品４は、調整体３内のチャンバ３３中に配置することができる。図６を合わせて参照する。本考案の一実施形態による粉末容器を実際に使用するとき、まず、筒体１の外蓋１４を取り外す。次に、付属品４をユーザの手に正確に装着するか、或いは、付属品４を外蓋１４中に置く。次に、調整体３の上縁３１を利用して調整体３を手で回転させることにより、通孔Ｂ３５と通孔Ａ２４とを連通させる。これにより、筒体１内の粉末化粧品を吐出させることができるようになるため、粉末化粧品を付属品４上に付着させて使用する。
【００１８】
本考案の一実施形態による粉末容器の構造の長所を以下に示す。筒体１と受け体２及び調整体３との間は、異なる複数の接合構造によって互いに接合される。その接合方式を以下に示す。
【００１９】
筒体１の凸縁１２上に設けられるストッパ１３が受け体２上の嵌合溝２５に係合されることにより、受け体２が筒体１上に固定される。また、受け体２中の受け室２１の内壁上には、係合溝２２が設けられ、受け室２１の底面には、貫通孔２３が設けられる。係合溝２２には、調整体３のチャンバ３３の外壁上の凸状リング３７が嵌合接合される。貫通孔２３には、チャンバ３３の底面下の凸柱が挿入接合される。これにより、貫通孔２３及び凸柱３４を軸心として調整体３を回転させ、チャンバ３３底面上の通孔Ｂ３５と受け室２１底面上の通孔Ａ２４とを連通状態又は封止状態に調整することができる。また、受け体２上には、調整体３上の位置規制溝３２中に嵌入することができる位置規制部２７を設けてもよい。これにより、調整体３を回転させたとき、位置規制部２７が位置規制溝３２中に位置規制されるため、通孔Ａ２４と通孔Ｂ３５とを迅速に連通状態にすることができる。即ち、本考案の粉末容器の構造は、密封性の高い容器の接合構造を提供するだけでなく、防湿効果を有し、利便性の高い粉末容器の構造を提供するものである。また、調整体３の調整は、調整体３の上縁３１部分を手で操作することによって行われるため、調整過程において、ユーザの手が容器内の付属品４又は粉末状内容物に接触することがなく、衛生的に使用することができる。また、筒体１の外蓋１４内部は、光沢面である上、受け体２の隆起壁２６を介して筒体１上に係合されるため、粉末化粧品が外蓋１４内部に残留するのを防止することができる。
【００２０】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２１】
１  筒体
２  受け体
３  調整体
４  付属品
１１  収納室
１２  凸縁
１３  ストッパ
１４  外蓋
２１  受け室
２２  係合溝
２３  貫通孔
２４  通孔Ａ
２５  嵌合溝
２６  隆起壁
２７  位置規制部
３１  上縁
３２  位置規制溝
３３  チャンバ
３４  凸柱
３５  通孔Ｂ
３６  隆起部
３７  凸状リング
【図１】
0003166759.tif 000003
【図２】
0003166759.tif 000004
【図３】
0003166759.tif 000005
【図４】
0003166759.tif 000006
【図５】
0003166759.tif 000007
【図６】
0003166759.tif 000008